(57)【要約】【課題】            既存の引戸に取付けられたクレセント錠に簡単に装着することができ、仮に引戸のガラスを切って外から手を差し入れても、クレセント錠の保護した状態を簡単に破ることができない防犯具を提供する。【解決手段】    クレセント錠の挿入用開口１ｃ、１ｄを有し、その開口を通してクレセント錠を内部に収納した状態で内側引戸の端面に取着される箱体１からなり、その箱体にクレセント受けに係合したクレセント本体の回動を阻止するバー５が脱着可能に設けられ、箱体の室内側端面部材６が摺動移動可能であり、閉鎖状態の端面部材を鎖錠するピン部材７が設けられ、端面部材に形成したスリット６ｂに解錠部材８を挿入して、このピン部材を解錠するようになっている。【選択図】        図２                                                        
2005273226.tif 000002
【特許請求の範囲】
【請求項１】
内側引戸の端面に回動可能に取付けられるクレセント本体と、外側引戸にクレセント本体と係合可能に設けられるクレセント受けとからなるクレセント錠用防犯保護具において、
クレセント錠の挿入用開口を有し、その開口を通してクレセント錠を内部に収納した状態で内側引戸の端面に取着される箱体からなり、その箱体にクレセント受けに係合したクレセント本体の回動を阻止する部材が脱着可能に設けられていることを特徴とするクレセント錠用防犯保護具。
【請求項２】
箱体の室内側端面部材が開閉可能となっていることを特徴とする請求項１に記載の保護具。
【請求項３】
箱体の室内側端面部材が摺動移動可能であり、閉鎖状態の端面部材を鎖錠する部材が設けられていることを特徴とする請求項２に記載の保護具。
【請求項４】
鎖錠する部材が箱体から端面部材に突出するピン部材からなり、端面部材に形成したスリットに解錠部材を挿入して、このピン部材を解錠するようになっていることを特徴とする請求項３に記載の保護具。
【請求項５】
クレセント本体の回動を防止する部材がバーからなり、このバーが箱体に形成された小孔に沿って出入可能であることを特徴とする請求項１〜４の何れか１項に記載の保護具。
【請求項６】
箱体が、ビスによって内側引戸の端面に取付けられるようになっていることを特徴とする請求項５に記載の保護具。
【発明の詳細な説明】
【技術分野】
【０００１】
本発明はクレセント錠用防犯保護具に関する。より詳しくは、本発明は、内側引戸の端面に回動可能に取付けられるクレセント本体と、外側引戸にクレセント本体と係合可能に設けられるクレセント受けとからなるクレセント錠に用いられる防犯保護具に関する。
【背景技術】
【０００２】
最近、住居への侵入盗が問題となっている。特に、玄関等の入口に設けられている錠前をピッキングとかサムターンなどという方法によって不法に解錠して侵入する窃盗犯の被害が相次いでいる。
【０００３】
同様に、引き戸に設けられるクレセント錠においては、クレセント錠の外側の窓ガラスをガラス切りによって手の入る大きさに切って、そこから手を入れクレセント錠を解錠して侵入する事犯が問題となっている。
【０００４】
このような対策として従来から種々の方法が提案されている。例えば、クレセント錠に錠前を付けクレセント本体とクレセント受けとが係合した状態でクレセント錠を施錠する方法がある。しかしこの方法ではクレセント錠の錠前が施錠されている状態がすぐ分かるために、窓から手を入れた状態で比較的容易にクレセント錠の解錠を行うことができる。そのため防犯として不十分である。
【０００５】
また、クレセント錠の他に内外の引戸の間に補助の止め金具を別に設けることも行われている。しかし、このようにした場合でもクレセント錠が開いてしまうと引戸を強く引張った場合には保護具の止め具が壊れてしまい簡単に開いてしまう。
【０００６】
また、特許文献１には、クレセント錠を内部に設けた箱体を内側引戸に取付けるようにし、クレセント受けが設けられた金具に南京錠を別に設けるようにして、この南京錠によって引戸が開かないようにすることが提案されている。しかし、この方法も箱体の内部に南京錠を取付けたりするため日常の取扱いが面倒であり、また南京錠が取付けられている金具を強引に引きちぎられてしまうと防犯の効果がなくなってしまう。
【０００７】
また、この特許文献１の装置においては、クレセント錠を箱体の内部に設けた状態で引戸に取付けているために、既存の引戸に取付けられたクレセント錠の防犯装置として用いることができないという欠点がある。クレセント錠を付け代えることは非常に手間が掛りコストも高いものであり実用的でない。
【０００８】
【特許文献１】特開２００３−２３９５９５号公報
【発明の開示】
【発明が解決しようとする課題】
【０００９】
本発明は上述したような問題点に鑑みて、既存の引戸に取付けられたクレセント錠に簡単に装着することができてクレセント錠の防犯保護が簡単に行え、しかも仮に引戸のガラスを切って外から手を差し入れても、クレセント錠の保護した状態を簡単に破ることができない防犯具を提供することを目的とする。
【課題を解決するための手段】
【００１０】
本発明は上述の課題を、内側引戸の端面に回動可能に取付けられるクレセント本体と、外側引戸にクレセント本体と係合可能に設けられるクレセント受けとからなるクレセント錠用防犯保護具において、
クレセント錠の挿入用開口を有し、その開口を通してクレセント錠を内部に収納した状態で内側引戸の端面に取着される箱体からなり、その箱体にクレセント受けに係合したクレセント本体の回動を阻止する部材が脱着可能に設けられていることを特徴とするクレセント錠用防犯保護具により達成する。
【００１１】
この場合に、箱体の室内側端面部材が開閉可能となっていることが好ましい。開閉可能とする方法としては、ヒンジによって揺動して回動するような扉としてもよいが、より好ましくは実施例に示すように、箱体の室内側の端面部材が摺動可能であり、このような端面部材を閉鎖状態とした場合に、端面部材を箱体に対して移動できないように鎖錠する部材が設けられていることが装置が簡単であり、しかもこのようにすることによって箱体が閉じられた状態となるために一層防犯効果が増し好ましいものである。
【００１２】
鎖錠部材としては箱体から端面部材に突出するピン部材とすることができる。このピン部材を箱体から押込むことによって端面部材に形成した凹部に係合するようにし、端面部材の摺動を止めるようにすることが装置が簡単であり、しかもその鎖錠状態が容易に分からず非常に好ましいものである。このようにした場合に、ピン部材を解錠するためには箱体にピン部材の先端に係合する解錠部材を差し込むようにした小さいスリットを形成しておくことが好ましい。
【００１３】
本発明のクレセント本体の回動を防止する部材は、金属、木材またはプラスチック等のバーなどで作られており、このバーが箱体に形成された小孔に沿って出入り可能であることが好ましい。このようにすることによってバーを箱体の小孔に沿って挿入することによって簡単にクレセント本体の回動を止めるようにすることができ、しかもこのバーの挿入状態が外部から分かり難く防犯効果も極めて高いものとなる。バーとしてはクレセント本体を無理にこじ開けようとした場合にも壊れ難いものとして金属とすることが好ましいが、比較的硬い木材やプラスチックとしてもよい。
【００１４】
本発明の箱体は木材、金属、プラスチックなどにより作ることができる。箱体は内側引戸の端面に取付けるものであり、この取付方法としては両面接着剤などによって引戸の端面に取付けることもできる。しかし、より箱体が壊されるようなことをなくすためには、ビスによって箱体を内側引戸の端面に取付けるようにすることが好ましい。この場合に箱体のビスの取付孔と上述したクレセント本体の回動を防止する部材であるバーの端面とを同じような形状とすることによって、どれがバーであり、どれがビスであるかが見分けられないようにして、より防犯効果を高めることができる。
【発明の効果】
【００１５】
本発明によれば、従来の既存のクレセント錠にそのまま取付けられることができるクレセント錠用防犯保護具が提供され、従来のクレセント錠をそのままの状態で用いることができるので、既存のクレセント錠の安全性を高めることができ且つ非常に安価である。
【００１６】
本発明においては、クレセント錠の外側を箱体によって覆うことによってクレセント錠を分かり難くするとともにクレセント錠のクレセント本体の解錠を阻止する部材を箱体に設けることによって、防犯効果を極めて高めることができる。しかも、箱体の室内に面する側面を摺動可能な部材とし、この摺動可能な部材を更にピンによって鎖錠するようにすることによって、一層防犯装置の防犯効果を高めることができる。
【発明を実施するための最良の形態】
【００１７】
以下、本発明の一実施例を図示した添付図面を参照して本発明を詳細に説明する。図１は本発明に係る防犯保護具の斜視図である。この実施例の防犯保護具は直方体形状をした木製の箱体１からなっており、この箱体１の内側引戸側の端面１ａおよび外側引戸のクレセント受けに面する側の端面１ｂが両端面１ａ、１ｂの過度部からぞぞれ長方形状に開口１ｃ、１ｄされており、この開口１ｃ、１ｄ部分から、クレセント本体３１およびクレセント受け３２からなるクレセント錠３０を箱体１の内部に挿入することができる。
【００１８】
なお、箱体１の形状は内部にクレセント錠を収納できれば直方体形状に限られず任意の形状とすることができる。また、開口の形状も長方形状に限られず、クレセント錠を通過させることができれば円形、楕円形、半円形などの形状とできる。
【００１９】
この箱体１の内側引戸側の端面１ａおよびそれに対向する端面１ｅは、それぞれの上部および下部に横方向に４つの小孔２が穿たれており、この小孔２を通してビス３を挿入し、内側引戸の端面に形成した取付け孔（図示せず）に螺合させて箱体１を内側引戸に取付けることができる。なお、図１では４本のビス３で箱体１を取付けているが、ビス３の本数はこれに限られない。例えば、ビス２本で止めてもよい。
【００２０】
箱体１の上記開口１ｃ、１ｄの上方位置に、箱体１の左右方向に摺動可能なバー５を装着する小孔４が設けられている。この実施例においては、バー５として木材製の円柱状の細いバー５が用いられている。なお、このバー５は木材に代えて金属または比較的強度の大きいプラスチックに代えることもできる。バー５は角柱としてもよいが、実施例に示すように円柱状とした方が小孔４の製作を容易に行え好ましい。
【００２１】
この箱体１をクレセント錠に被せた状態で内側引戸に取付け、クレセント本体３１とクレセント受け３２を係合させた後で上述したバー５を小孔４に挿入することによって、バー５がクレセント本体３１のレバーに当たり、クレセント本体３１は最早開くことができず、これによってクレセント錠の防犯効果が高められる。
【００２２】
更に、この実施例においては、箱体１の室内に面する側面を長方形状の板材からなる端面部材６としており、端面部材６の両側を凸形状としている。また、箱体１の室内に面する側の両側面にはそれぞれ縦長のスリット１ｆを形成している。端面部材６をスリット１ｆに蟻溝状態で係合させ、端面部材６を上下に摺動可能としている。従って、この端面部材６を閉じることによって箱体１の内部は外から見ることができず内部構造が分からない状態となる。クレセント錠を操作するときは端面部材６を上に摺動させて開けることによって、内部のクレセント錠が室内側から見ることができるので、この状態でクレセント錠を操作し、鍵を掛け、または解錠することができる。
【００２３】
端面部材６の片側に小孔６ａを形成するとともに箱体１に小孔６ａと対応する位置に小孔１ｇを穿ち、箱体１の外側から小孔１ｇに挿入したピン部材７の先端が端面部材６の小孔６ａに係合して端面部材６を箱部材１に鎖錠して端面部材６が閉じた状態を維持するようにしている。
【００２４】
更に端面部材６に小孔６ａに連通するスリット６ｂを形成しており、板状の解錠部材８を端面部材６に形成したスリット６ｂから挿入して、小孔６ａに係合しているピン部材７の頭を箱体１の外側へ押出し、その頭を手で掴んでピン部材７を引っ張ることにより、端面部材６の鎖錠が解け、端面部材６を開けることができる。
【００２５】
以下、本実施例の防犯保護具の使用状態を時経列的に示す図２を参照して、本実施例の防犯部材の取扱い方法を簡単に説明する。
【００２６】
本発明に係る防犯保護具は上述したような構造であり、内側引戸の端面に回動可能に取付けられるクレセント本体３１と外側引戸にクレセント本体と係合可能に設けられるクレセント受け３２とからなるクレセント錠３０を箱体１の開口１ｃ、１ｄを通して、箱体１の内部に位置させ、箱体１を内側引戸にビス３（図１参照）によって取付ける。
【００２７】
図２（ａ）に示すように、箱体１の室内に面する側面の端面部材６を開けて、クレセント錠３０を操作して、図２（ｂ）に示すように、クレセント本体３１とクレセント受け３２を係合させる。
【００２８】
この状態で、クレセント本体３１の回動を阻止する部材であるバー５を箱体１の小孔４に挿入することによって、図２（ｃ）に示すように、バー４がクレセント本体３１のレバーに係合し、クレセント本体３１は最早回動しない。本実施例は、この状態で使用することもできる。
【００２９】
一層好ましくは、図２（ｄ）に示すように、端面部材６を箱体１に形成したスリット１ｆに沿って摺動させることによって、箱体１が閉じた状態となり、箱体の内部は見えなくなる。
【００３０】
この状態で、図２（ｅ）に示すように、箱体１に形成した小孔１ｇにピン部材７を挿入することによって、室内側の端面部材６は全く開けることができない状態となる。従って、例えクレセント錠３０の回りのガラスを切ったとしても、クレセント錠３０を開けることはできない。このために防犯効果が非常に高い。勿論、ガラス全体を切って入るということは可能であるが、今までの実例などを見ていても、侵入犯が侵入動作を開始して入る時間、防犯効果を維持できるならば侵入が諦められるということが分かっている。従って、本発明によれば侵入防止効果は充分発揮することができる。
【００３１】
クレセント錠３０を解錠する場合には、図２（ｆ）に示すように、端面部材６に形成したスリット６ｂに板状の解錠部材８を挿入して、小孔６ａに係合しているピン部材７の頭を箱体１の外側へ押出し、その頭を手で掴んでピン部材７を引っ張ることにより、端面部材６の鎖錠が解け、端面部材６を開けることができる。以下、前述の手順と逆にすることにより、クレセント錠３０を解錠することができる。
【図面の簡単な説明】
【００３２】
【図１】本発明に係る防犯保護具を示す斜視図である。
【図２】本発明の防犯保護具の使用状態を時経列的に示す図である。
【符号の説明】
【００３３】
１    箱体
１ａ    内側引戸側の端面
１ｂ    外側引戸側の端面
１ｃ、１ｄ    開口
１ｆ    スリット
１ｇ    小孔
２    小孔
３    ビス
４    小孔
５    バー
６    端面部材
６ａ    小孔
６ｂ    スリット
７    ピン部材
８    解錠部材
３１    クレセント本体
３２    クレセント受け
３０    クレセント錠
【図１】
2005273226.tif 000003
【図２】
2005273226.tif 000004